(57)【要約】  本発明の実施形態は、パーソナルネットワークの合併方法及び装置、並びにパーソナルネットワークの分割方法及び装置を開示する。前記合併方法は、ユーザ、サーバ、サービス、パーソナルネットワーク装置、パーソナルネットワークゲートウェイまたは特定のイベントによってパーソナルネットワークの合併をトリガするステップと、合併後のパーソナルネットワークのために新しいパーソナルネットワークゲートウェイを選択するステップと、パーソナルネットワーク装置が合併後のパーソナルネットワークに加入するステップと、パーソナルネットワークサーバに合併後のパーソナルネットワークサーバを登録するステップと、を含む。前記分割方法は、ユーザ、サーバ、サービス、パーソナルネットワーク装置、パーソナルネットワークゲートウェイまたは特定のイベントによってパーソナルネットワークの分割をトリガするステップと、分割後のパーソナルネットワークのために新しいパーソナルネットワークゲートウェイを選択するステップと、パーソナルネットワーク装置がそれぞれ分割後のパーソナルネットワークに加入するステップと、パーソナルネットワークサーバに分割後のパーソナルネットワークを登録するステップと、を含む。本発明の方法及び装置により、大量のＰＮが存在する場合、ＰＮ、特にＰＮにおける複数のパーソナルネットワークを合併及び分割する問題を効果的に解決することができる。
2014513480.tif 000002
【特許請求の範囲】
【請求項１】
パーソナルネットワークの合併方法であって、
ユーザ、サーバ、サービス、パーソナルネットワーク装置、パーソナルネットワークゲートウェイまたは特定のイベントによってパーソナルネットワークの合併をトリガするステップと、
合併後のパーソナルネットワークのために合併前の２つ以上のパーソナルネットワークの全ての構成ユニットから新しいパーソナルネットワークゲートウェイを選択するステップと、
パーソナルネットワーク装置を合併後のパーソナルネットワークに加入するステップと、
パーソナルネットワークサーバに合併後のパーソナルネットワークを登録するステップと、を含むことを特徴とするパーソナルネットワークの合併方法。
【請求項２】
パーソナルネットワークの合併をトリガした後、この方法は、さらに、
合併がトリガされたパーソナルネットワークにおけるパーソナルネットワークゲートウェイ、またはパーソナルネットワーク装置が、合併が要求された他の各パーソナルネットワークのパーソナルネットワークゲートウェイにパーソナルネットワークの合併要求を送信し、前記パーソナルネットワークの合併要求を受信した各パーソナルネットワークゲートウェイが、要求を開始するパーソナルネットワークゲートウェイ、またはパーソナルネットワーク装置へ、合併に同意するかどうかの応答を返すステップと、
ユーザまたはサーバによりパーソナルネットワークの合併をトリガすることが開始される場合、各装置が全てに合併に同意する、と黙認されるステップと、を含むことを特徴とする
請求項１に記載の方法。
【請求項３】
合併前の２つ以上のパーソナルネットワークの全ての構成ユニットから選択する前記ステップは、合併前の２つ以上のパーソナルネットワークのパーソナルネットワークゲートウェイから選択することを特徴とする
請求項１または２に記載の方法。
【請求項４】
パーソナルネットワーク装置を合併後のパーソナルネットワークに加入する前記ステップは、具体的に、
パーソナルネットワーク装置と合併後のパーソナルネットワークゲートウェイが合併前に同じパーソナルネットワークに属し、且つパーソナルネットワークゲートウェイも合併前のパーソナルネットワークのパーソナルネットワークゲートウェイである場合、パーソナルネットワーク装置が、既に合併後のパーソナルネットワークに属し、再度に合併後のパーソナルネットワークに加入する必要がなく、
パーソナルネットワーク装置と合併後のパーソナルネットワークゲートウェイが合併前に同じパーソナルネットワークに属しない場合、パーソナルネットワーク装置が、合併後のパーソナルネットワークゲートウェイへ、合併後のパーソナルネットワークに加入することを要求する必要があることを含むことを特徴とする
請求項１または２に記載の方法。
【請求項５】
パーソナルネットワークサーバに合併後のパーソナルネットワークを登録する前記ステップは、合併後のパーソナルネットワークゲートウェイが、合併後のパーソナルネットワークをパーソナルネットワークサーバに登録し、パーソナルネットワークサーバが、前記合併後のパーソナルネットワークの情報を記憶することを含むことを特徴とする
請求項１または２に記載の方法。
【請求項６】
パーソナルネットワークゲートウェイに位置するパーソナルネットワークの合併装置であって、
ユーザ、サーバ、サービス、パーソナルネットワーク装置、パーソナルネットワークゲートウェイまたは特定のイベントによってパーソナルネットワークの合併をトリガするように構成される合併トリガユニットと、
合併後のパーソナルネットワークのために合併前の２つ以上のパーソナルネットワークの全ての構成ユニットから新しいパーソナルネットワークゲートウェイを選択するように構成されるゲートウェイ選択ユニットと、
パーソナルネットワーク装置が合併後のパーソナルネットワークに加入するように構成される合併加入ユニットと、
を備えることを特徴とするパーソナルネットワークの合併装置。
【請求項７】
パーソナルネットワークの合併をトリガした場合、合併がトリガされたパーソナルネットワークにおけるパーソナルネットワークゲートウェイ、またはパーソナルネットワーク装置が、合併が要求された他の各パーソナルネットワークのパーソナルネットワークゲートウェイへ、パーソナルネットワークの合併要求を送信し、前記パーソナルネットワークの合併要求を受信した各パーソナルネットワークゲートウェイが、要求を開始するパーソナルネットワークゲートウェイ、またはパーソナルネットワーク装置へ、合併に同意するかどうかの応答を返すように構成される合併応答ユニットをさらに備え、
ユーザまたはサーバによりパーソナルネットワークの合併をトリガすることが開始される場合、各装置が全てに合併に同意する、と黙認されることを特徴とする
請求項６に記載の装置。
【請求項８】
パーソナルネットワークサーバに位置するパーソナルネットワークの合併装置であって、
ユーザ、サーバ、サービス、パーソナルネットワーク装置、パーソナルネットワークゲートウェイまたは特定のイベントによってパーソナルネットワークの合併をトリガするように構成される合併トリガユニットと、
合併後のパーソナルネットワークのために合併前の２つ以上のパーソナルネットワークの全ての構成ユニットから新しいパーソナルネットワークゲートウェイを選択するように構成されるゲートウェイ選択ユニットと、
パーソナルネットワーク装置は合併後のパーソナルネットワークに加入するように構成される合併加入ユニットと、
パーソナルネットワークサーバに合併後のパーソナルネットワークを登録するように構成される第１の登録ユニットと、
を備えることを特徴とするパーソナルネットワークの合併装置。
【請求項９】
パーソナルネットワークの分割方法であって、
ユーザ、サーバ、サービス、パーソナルネットワーク装置、パーソナルネットワークゲートウェイまたは特定のイベントによってパーソナルネットワークの分割をトリガするステップと、
分割後のパーソナルネットワークのために分割前のパーソナルネットワークの全ての構成ユニットから新しいパーソナルネットワーククゲートウェイを選択するステップと、
パーソナルネットワーク装置はそれぞれ分割後のパーソナルネットワークに加入するステップと、
パーソナルネットワークサーバに分割後のパーソナルネットワークを登録するステップと、
を含むことを特徴とするパーソナルネットワークの分割方法。
【請求項１０】
パーソナルネットワークの分割をトリガした後、この方法は、さらに、
分割がトリガされたパーソナルネットワークにおけるパーソナルネットワークゲートウェイ、またはパーソナルネットワーク装置が、他の選ばれた分割後の各パーソナルネットワークのパーソナルネットワークゲートウェイに、パーソナルネットワークの分割要求を送信し、前記パーソナルネットワークの分割要求を受信した各パーソナルネットワークゲートウェイが、要求を開始するパーソナルネットワークゲートウェイ、またはパーソナルネットワーク装置へ、分割に同意するかどうかの応答を返すステップと、
ユーザまたはサーバによりパーソナルネットワークの分割をトリガすることが開始される場合、各装置が全てに分割に同意する、と黙認されるステップと、
をさらに含むことを特徴とする
請求項９に記載の方法。
【請求項１１】
パーソナルネットワーク装置がそれぞれ分割後のパーソナルネットワークに加入する前記ステップは、
パーソナルネットワーク装置と分割後のパーソナルネットワークゲートウェイが、分割前に同じパーソナルネットワークに属し、且つパーソナルネットワークゲートウェイも分割前のパーソナルネットワークのパーソナルネットワークゲートウェイである場合、パーソナルネットワーク装置が、既に分割後の１つのパーソナルネットワークに属し、再度に分割後のパーソナルネットワークに加入する必要がなく、
パーソナルネットワーク装置と分割後のパーソナルネットワークゲートウェイが、分割前に同じパーソナルネットワークに属しない場合、パーソナルネットワーク装置が、分割後のパーソナルネットワークゲートウェイへ、分割後のパーソナルネットワークに加入することを要求する必要があることを含むことを特徴とする
請求項９または１０に記載の方法。
【請求項１２】
パーソナルネットワークサーバに分割後のパーソナルネットワークを登録する前記ステップは、分割後のパーソナルネットワークゲートウェイが、分割後のパーソナルネットワークをパーソナルネットワークサーバに登録し、パーソナルネットワークサーバが、前記分割後のパーソナルネットワークの情報を記憶することを含むことを特徴とする
請求項に記載の９または１０に記載の方法。
【請求項１３】
パーソナルネットワークゲートウェイに位置するパーソナルネットワークの分割装置であって、
ユーザ、サーバ、サービス、パーソナルネットワーク装置、パーソナルネットワークゲートウェイまたは特定のイベントによってパーソナルネットワークの分割をトリガするように構成される分割トリガユニットと、
分割後のパーソナルネットワークのために分割前のパーソナルネットワークの全ての構成ユニットから新しいパーソナルネットワークゲートウェイを選択するように構成されるゲートウェイ選択ユニットと、
パーソナルネットワーク装置はそれぞれ分割後のパーソナルネットワークに加入するように構成される分割加入ユニットと、
を備えることを特徴とするパーソナルネットワークの分割装置。
【請求項１４】
パーソナルネットワークの分割をトリガした場合、分割がトリガされたパーソナルネットワークにおけるパーソナルネットワークゲートウェイ、またはパーソナルネットワーク装置は、他のそれぞれの選択された分割後のパーソナルネットワークのパーソナルネットワークゲートウェイへパーソナルネットワークの分割要求を送信し、前記パーソナルネットワークの分割要求を受信した各パーソナルネットワークゲートウェイは、要求を開始するパーソナルネットワークゲートウェイ、またはパーソナルネットワーク装置へ、分割に同意するかどうかの応答を返すように構成される分割応答ユニットをさらに備え、ユーザまたはサーバによりパーソナルネットワークの分割をトリガすることが開始される場合、各装置が全てに分割に同意する、と黙認されることを特徴とする
請求項１３に記載の装置。
【請求項１５】
パーソナルネットワークサーバに位置するパーソナルネットワークの分割装置であって、
ユーザ、サーバ、サービス、パーソナルネットワーク装置、パーソナルネットワークゲートウェイまたは特定のイベントによってパーソナルネットワークの分割をトリガするように構成される分割トリガユニットと、
分割後のパーソナルネットワークのために分割前のパーソナルネットワークの全ての構成ユニットから新しいパーソナルネットワークゲートウェイを選択するように構成されるゲートウェイ選択ユニットと、
パーソナルネットワーク装置はそれぞれ分割後のパーソナルネットワークに加入するように構成される分割加入ユニットと、
パーソナルネットワークサーバに分割後のパーソナルネットワークを登録するように構成される第２の登録ユニットと、
を備えることを特徴とするパーソナルネットワークの分割装置。
【発明の詳細な説明】
【技術分野】
【０００１】
本発明は、ネットワークの合併及び分割技術に関し、特にパーソナルネットワークの合併方法及び装置、並びにパーソナルネットワークの分割方法及び装置に関する。
【背景技術】
【０００２】
科学技術の発展に伴い、より多くのパーソナルデバイス、例えば携帯電話、ノートパソコン、ＰＤＡ、ＭＰ３、ＭＰ４などは持ちされ、かつこれらの装置は機能がますます強くなってほとんど近距離の通信機能を備える。したがって、周りのこれらの装置が一緒に接続して、個々のドメインネットワーク（ＰＮ）を構成して、互いのリソース及び機能を共有することは、ますます望まれている。
【０００３】
図１は１つのＰＮにおける各装置間のネットワーキングを示す図である。このＰＮには、パーソナルネットワーク装置、パーソナルネットワークゲートウェイ、パーソナルネットワークサーバが含まれ、それらのネットワーキング関係については、パーソナルネットワーク１がパーソナルネットワークゲートウェイ１、パーソナルネットワーク装置１、パーソナルネットワーク装置２から構成され、パーソナルネットワーク２がパーソナルネットワークゲートウェイ２、パーソナルネットワーク装置２、パーソナルネットワーク装置３から構成され、パーソナルネットワーク３がパーソナルネットワークゲートウェイ３、パーソナルネットワーク装置３、パーソナルネットワーク装置４から構成され、パーソナルネットワーク４がパーソナルネットワークゲートウェイ４、パーソナルネットワーク装置５、パーソナルネットワーク装置６、パーソナルネットワーク装置７、パーソナルネットワーク装置８から構成される。各パーソナルネットワークは、そのパーソナルネットワークゲートウェイを介してパーソナルネットワークサーバに接続され、かつ図１におけるパーソナルネットワーク装置２が同時にパーソナルネットワーク１とパーソナルネットワーク２に属し、パーソナルネットワーク装置３が同時にパーソナルネットワーク２とパーソナルネットワーク３に属する。
【０００４】
しかしながら、これらのＰＮがますます増すことに伴い、どのようにこれらのＰＮを効果的に管理するか、特にどのようにＰＮにおける複数のパーソナルネットワークを合併及び分割するかについては、非常に緊急な問題になっている。現在、どのように複数のパーソナルネットワークを合併及び分割するかという問題については、まだ有効な解決策がない。
【発明の概要】
【発明が解決しようとする課題】
【０００５】
これを鑑みて、本発明の実施形態の主要な目的は、大量のＰＮが存在する場合、ＰＮ、特にＰＮにおける複数のパーソナルネットワークを合併及び分割する問題を効果的に解決することができる、パーソナルネットワークの合併及び分割方法と装置を提供することにある。
【課題を解決するための手段】
【０００６】
前記目的を達成するために、本発明の実施形態の技術的スキームは、以下のように実現される。
【０００７】
パーソナルネットワークの合併方法であって、
ユーザ、サーバ、サービス、パーソナルネットワーク装置、パーソナルネットワークゲートウェイまたは特定のイベントによってパーソナルネットワークの合併をトリガするステップと、
合併後のパーソナルネットワークのために合併前の２つ以上のパーソナルネットワークの全ての構成ユニットから新しいパーソナルネットワークゲートウェイを選択するステップと、
パーソナルネットワーク装置が合併後のパーソナルネットワークに加入するステップと、
パーソナルネットワークサーバに合併後のパーソナルネットワークを登録するステップと、を含む。
【０００８】
ここで、パーソナルネットワークの合併をトリガした後、この方法は、さらに、
合併がトリガされたパーソナルネットワークにおけるパーソナルネットワークゲートウェイ、またはパーソナルネットワーク装置が、合併が要求された他の各パーソナルネットワークのパーソナルネットワークゲートウェイにパーソナルネットワークの合併要求を送信し、前記パーソナルネットワークの合併要求を受信した各パーソナルネットワークゲートウェイが、要求を開始するパーソナルネットワークゲートウェイ、またはパーソナルネットワーク装置へ、合併に同意するかどうかの応答を返すステップと、
ユーザまたはサーバによりパーソナルネットワークの合併をトリガすることが開始される場合、各装置が全てに合併に同意する、と黙認されるステップとを含む。
【０００９】
ここで、合併前の２つ以上のパーソナルネットワークの全ての構成ユニットから選択する前記ステップは、合併前の２つ以上のパーソナルネットワークのパーソナルネットワークゲートウェイから選択することである。
【００１０】
ここで、パーソナルネットワーク装置が合併後のパーソナルネットワークに加入する前記ステップは、具体的に、
パーソナルネットワーク装置と合併後のパーソナルネットワークゲートウェイが合併前に同じパーソナルネットワークに属し、かつパーソナルネットワークゲートウェイも合併前のパーソナルネットワークのパーソナルネットワークゲートウェイである場合、パーソナルネットワーク装置は、既に合併後のパーソナルネットワークに属し、再度に合併後のパーソナルネットワークに加入する必要がなく、
パーソナルネットワーク装置と合併後のパーソナルネットワークゲートウェイが合併前に同じパーソナルネットワークに属しない場合、パーソナルネットワーク装置が、合併後のパーソナルネットワークゲートウェイへ、合併後のパーソナルネットワークに加入することを要求する必要があることを含む。
【００１１】
ここで、パーソナルネットワークサーバに合併後のパーソナルネットワークを登録する前記ステップは、具体的に、合併後のパーソナルネットワークゲートウェイが、合併後のパーソナルネットワークをパーソナルネットワークサーバに登録し、パーソナルネットワークサーバが、前記合併後のパーソナルネットワークの情報を記憶することを含む。
【００１２】
パーソナルネットワークゲートウェイに位置するパーソナルネットワークの合併装置であって、
ユーザ、サーバ、サービス、パーソナルネットワーク装置、パーソナルネットワークゲートウェイまたは特定のイベントによってパーソナルネットワークの合併をトリガするように構成される合併トリガユニットと、
合併後のパーソナルネットワークのために合併前の２つ以上のパーソナルネットワークの全ての構成ユニットから新しいパーソナルネットワークゲートウェイを選択するように構成されるゲートウェイ選択ユニットと、
パーソナルネットワーク装置が合併後のパーソナルネットワークに加入するように構成される合併加入ユニットと、を備える。
【００１３】
ここで、この装置は、さらに、
パーソナルネットワークの合併をトリガした場合、合併がトリガされたパーソナルネットワークにおけるパーソナルネットワークゲートウェイ、またはパーソナルネットワーク装置が、合併が要求された他の各パーソナルネットワークのパーソナルネットワークゲートウェイへ、パーソナルネットワークの合併要求を送信し、前記パーソナルネットワークの合併要求を受信した各パーソナルネットワークゲートウェイが、要求を開始するパーソナルネットワークゲートウェイ、またはパーソナルネットワーク装置へ、合併に同意するかどうかの応答を返すように構成される合併応答ユニットを備え、
ユーザまたはサーバによりパーソナルネットワークの合併をトリガすることが開始される場合、各装置が全てに合併に同意すると黙認される。
【００１４】
パーソナルネットワークサーバに位置するパーソナルネットワークの合併装置であって、
ユーザ、サーバ、サービス、パーソナルネットワーク装置、パーソナルネットワークゲートウェイまたは特定のイベントによってパーソナルネットワークの合併をトリガするように構成される合併トリガユニットと、
合併後のパーソナルネットワークのために合併前の２つ以上のパーソナルネットワークの全ての構成ユニットから新しいパーソナルネットワークゲートウェイを選択するように構成されるゲートウェイ選択ユニットと、
パーソナルネットワーク装置が合併後のパーソナルネットワークに加入するように構成される合併加入ユニットと、
パーソナルネットワークサーバに合併後のパーソナルネットワークを登録するように構成される第１の登録ユニットと、を備える。
【００１５】
パーソナルネットワークの分割方法であって、
ユーザ、サーバ、サービス、パーソナルネットワーク装置、パーソナルネットワークゲートウェイまたは特定のイベントによってパーソナルネットワークの分割をトリガするステップと、
分割後のパーソナルネットワークのために分割前のソナルネットワークの全ての構成ユニットから新しいパーソナルネットワーククゲートウェイを選択するステップと、
パーソナルネットワーク装置がそれぞれ分割後のパーソナルネットワークに加入するステップと、
パーソナルネットワークサーバに分割後のパーソナルネットワークを登録するステップと、を含む。
【００１６】
ここで、パーソナルネットワークの分割をトリガした後、この方法は、さらに、
分割がトリガされたパーソナルネットワークにおけるパーソナルネットワークゲートウェイ、またはパーソナルネットワーク装置が、他の選びられた分割後の各パーソナルネットワークのパーソナルネットワークゲートウェイに、パーソナルネットワークの分割要求を送信し、前記パーソナルネットワークの分割要求を受信した各パーソナルネットワークゲートウェイが、要求を開始するパーソナルネットワークゲートウェイ、またはパーソナルネットワーク装置へ、分割に同意するかどうかの応答を返すステップと、
ユーザまたはサーバによりパーソナルネットワークの分割をトリガすることが開始される場合、各装置が全てに分割に同意する、と黙認されるステップと、
を含む。
【００１７】
ここで、パーソナルネットワーク装置がそれぞれ分割後のパーソナルネットワークに加入する前記ステップは、具体的に、
パーソナルネットワーク装置と分割後のパーソナルネットワークゲートウェイが分割前に同じパーソナルネットワークに属し、かつパーソナルネットワークゲートウェイも分割前のパーソナルネットワークのパーソナルネットワークゲートウェイである場合、パーソナルネットワーク装置は、既に分割後のパーソナルネットワークに属し、再度に分割後のパーソナルネットワークに加入する必要がなく、
パーソナルネットワーク装置と分割後のパーソナルネットワークゲートウェイが分割前に同じパーソナルネットワークに属しない場合、パーソナルネットワーク装置が分割後のパーソナルネットワークゲートウェイへ分割後のパーソナルネットワークに加入することを要求する必要があることを含む。
【００１８】
ここで、パーソナルネットワークサーバに分割後のパーソナルネットワークを登録する前記ステップは、具体的に、分割後のパーソナルネットワークゲートウェイが分割後のパーソナルネットワークをパーソナルネットワークサーバに登録し、パーソナルネットワークサーバが前記分割後のパーソナルネットワークの情報を記憶することを含む。
【００１９】
パーソナルネットワークゲートウェイに位置するパーソナルネットワークの分割装置であって、
ユーザ、サーバ、サービス、パーソナルネットワーク装置、パーソナルネットワークゲートウェイまたは特定のイベントによってパーソナルネットワークの分割をトリガするように構成される分割トリガユニットと、
分割後のパーソナルネットワークのために分割前のパーソナルネットワークの全ての構成ユニットから新しいパーソナルネットワークゲートウェイを選択するように構成されるゲートウェイ選択ユニットと、
パーソナルネットワーク装置がそれぞれ分割後のパーソナルネットワークに加入するように構成される分割加入ユニットと、を含む。
【００２０】
ここで、この装置は、さらに、
パーソナルネットワークの分割をトリガした場合、分割がトリガされたパーソナルネットワークにおけるパーソナルネットワークゲートウェイ、またはパーソナルネットワーク装置が、他のそれぞれの選択された分割後のパーソナルネットワークのパーソナルネットワークゲートウェイへ、パーソナルネットワークの分割要求を送信し、前記パーソナルネットワークの分割要求を受信した各パーソナルネットワークゲートウェイが要求を開始するパーソナルネットワークゲートウェイ、またはパーソナルネットワーク装置へ分割に同意するかどうかの応答を返すように構成される分割応答ユニットをさらに備え、ユーザまたはサーバによりパーソナルネットワークの分割をトリガことが開始される場合、各装置が全てに分割に同意する、と黙認される。
【００２１】
パーソナルネットワークサーバに位置するパーソナルネットワーク分割装置であって、
ユーザ、サーバ、サービス、パーソナルネットワーク装置、パーソナルネットワークゲートウェイまたは特定のイベントによってパーソナルネットワークの分割をトリガするように構成される分割トリガユニットと、
分割後のパーソナルネットワークのために分割前のパーソナルネットワークの全ての構成ユニットから新しいパーソナルネットワークゲートウェイを選択するように構成されるゲートウェイ選択ユニットと、
パーソナルネットワーク装置がそれぞれ分割後のパーソナルネットワークに加入するように構成される分割加入ユニットと、
パーソナルネットワークサーバに分割後のパーソナルネットワークを登録するように構成される第２の登録ユニットと、を備える。
【発明の効果】
【００２２】
本発明の実施形態に係る合併方法は、主に、ユーザ、サーバ、サービス、パーソナルネットワーク装置、パーソナルネットワークゲートウェイまたは特定のイベントによってパーソナルネットワークの合併をトリガするステップと、合併後のパーソナルネットワークのために合併前の２つ以上のパーソナルネットワークの全ての構成ユニットから新しいパーソナルネットワークゲートウェイを選択するステップと、パーソナルネットワーク装置が合併後のパーソナルネットワークに加入するステップと、パーソナルネットワークサーバに合併後のパーソナルネットワークを登録するステップと、を含む。本発明の実施形態に係る分割方法は、主に、ユーザ、サーバ、サービス、パーソナルネットワーク装置、パーソナルネットワークゲートウェイまたは特定のイベントによってソナルネットワークの分割をトリガするステップと、分割後のパーソナルネットワークのために分割前のパーソナルネットワークの全ての構成ユニットから新しいパーソナルネットワークゲートウェイを選択するステップと、パーソナルネットワーク装置がそれぞれ分割後のパーソナルネットワークに加入するステップと、を含む。本発明の実施形態により、どのように複数のパーソナルネットワークを合併及び分割するかどうかという問題を効果的に解決した。
【図面の簡単な説明】
【００２３】
【図１】従来技術におけるＰＮにおける各装置間のネットワーキングを示す図である。
【図２】本発明の実施形態に係るパーソナルネットワークの合併方法の基本原理のフローチャートである。
【図３】本発明の実施形態のパーソナルネットワークの分割方法の基本原理のフローチャートである。
【図４】本発明の実施形態１のネットワーキングを示す図である。
【図５】本発明の実施形態２のネットワーキングを示す図である
【図６】本発明の実施形態３のネットワーキングを示す図である。
【発明を実施するための形態】
【００２４】
本発明の基本的な考えは、合併方法が主に、ユーザ、サーバ、サービス、パーソナルネットワーク装置、パーソナルネットワークゲートウェイまたは特定のイベントによってパーソナルネットワークの合併をトリガするステップと、合併後のパーソナルネットワークのために合併前の２つ以上のパーソナルネットワークの全ての構成ユニットから新しいパーソナルネットワークゲートウェイを選択するステップと、パーソナルネットワーク装置が合併後のパーソナルネットワークに加入するステップと、パーソナルネットワークサーバに合併後のパーソナルネットワークを登録するステップと、を含み、本発明の実施形態に係る分割方法が主に、ユーザ、サーバ、サービス、パーソナルネットワーク装置、パーソナルネットワークゲートウェイまたは特定のイベントによってパーソナルネットワークの分割をトリガするステップと、分割後のパーソナルネットワークのために分割前のパーソナルネットワークの全ての構成ユニットから新しいパーソナルネットワークゲートウェイを選択するステップと、パーソナルネットワーク装置がそれぞれ分割後のパーソナルネットワークに加入するステップと、を含むことである。
【００２５】
以下、図面を参照しながら技術的スキームの実施を更に詳しく説明する。
【００２６】
パーソナルネットワーク合併方法であって、その基本原理プロセスは、図２に示すように、主に以下のステップを含む。
【００２７】
ステップ１０１において、ユーザ、サーバ、サービス、パーソナルネットワーク装置、パーソナルネットワークゲートウェイまたはいくつかの特定のイベントによってパーソナルネットワークの合併をトリガすることができる。合併の場合、「特定のイベント」は、ユーザが特定の領域、例えば家、自転車、ホテルなどに入ることを含むため、繰り返して説明しない。
【００２８】
ここで、合併は２つのパーソナルネットワークが１つの新しいパーソナルネットワークに合併されることであってよく、複数のパーソナルネットワークが１つの新しいパーソナルネットワークに合併されることであってもよい。合併がトリガされたパーソナルネットワークにおけるパーソナルネットワークゲートウェイ、またはパーソナルネットワーク装置は、合併が要求された他の各パーソナルネットワークのパーソナルネットワークゲートウェイへソナルネットワークの合併要求を送信し、このパーソナルネットワークの合併要求を受信した各パーソナルネットワークゲートウェイは、要求を開始するパーソナルネットワークゲートウェイ、またはパーソナルネットワーク装置へ合併に同意するかどうかの応答を返す。この合併がユーザまたはサーバにより開始される場合、各構成ユニットが全てに合併に同意する、と黙認されることができる。ここでの構成ユニットとは、合併しようとする２つ以上のパーソナルネットワークにおける全ての装置である。
【００２９】
ステップ１０２において、合併後のパーソナルネットワークのために新しいパーソナルネットワークゲートウェイを選択する。
【００３０】
ここで、合併後のパーソナルネットワークのために新しいパーソナルネットワークゲートウェイを選択することは、主に以下の内容を含む。
【００３１】
Ａ１、まず、合併後のパーソナルネットワークの新しいパーソナルネットワークゲートウェイは、合併前の２つ以上のパーソナルネットワークのパーソナルネットワークゲートウェイから選択されてよく、合併前の２つ以上のパーソナルネットワークの全ての構成ユニットから選択されてもよい。全ての構成ユニットを選択することについて、即ち、新しいパーソナルネットワークゲートウェイの選択はパーソナルネットワークゲートウェイを含んでよく、パーソナルネットワーク装置を含んでもよい。
【００３２】
Ｂ１、次に、合併後のパーソナルネットワークの新しいパーソナルネットワークゲートウェイは、ユーザ、サーバ、サービスまたは他の第三者（例えばＣＰまたはＳＰ）などにより選択されることができる。
【００３３】
Ｃ１、次に、合併後のパーソナルネットワークの新しいパーソナルネットワークゲートウェイについて、その選択標準は、ランダム選択、装置機能に基づく選択、サービスタイプに基づく選択などの複種があってよい。ここで、装置の機能について、パーソナルネットワーク装置、パーソナルネットワークゲートウェイは、全てロジックエンティティであって、具体的な物理装置（例えば携帯電話）に存在することができるため、本文に言及されている装置の機能とは、これらのロジックエンティティが利用している物理装置の機能であり、ここで繰り返して説明しない。
【００３４】
ステップ１０３において、パーソナルネットワーク装置は、合併後のソナルネットワークに加入する。
【００３５】
ここで、パーソナルネットワーク装置が合併後のパーソナルネットワークに加入することは、主に以下の内容を含む。
【００３６】
Ａ２、パーソナルネットワーク装置と合併後のパーソナルネットワークゲートウェイが合併前に同じパーソナルネットワークに属し、且つパーソナルネットワークゲートウェイも前記合併前のパーソナルネットワークのパーソナルネットワークゲートウェイである場合、パーソナルネットワーク装置は、既に合併後のパーソナルネットワークに属し、再度に加入する必要がない。
【００３７】
Ｂ２、パーソナルネットワーク装置と合併後のパーソナルネットワークゲートウェイが合併前に同じパーソナルネットワークに属しない場合、パーソナルネットワーク装置は、合併後のパーソナルネットワークゲートウェイへ合併後のパーソナルネットワークに加入することを要求する必要がある。
【００３８】
ここで、合併後のパーソナルネットワークゲートウェイへ、合併後のパーソナルネットワークに加入することを要求することは、パーソナルネットワーク装置と合併後のパーソナルネットワークゲートウェイが既にリンクを確立した場合、パーソナルネットワーク装置が、合併後のパーソナルネットワークに加入することを直接に要求するという場合１と、パーソナルネットワーク装置と合併後のパーソナルネットワークゲートウェイがリンクを確立しない場合、パーソナルネットワーク装置が、まず合併後のパーソナルネットワークとのリンクを確立し、次に合併後のパーソナルネットワークに加入することを要求する必要があるという場合２と、を含む。
【００３９】
Ｃ２、合併前のパーソナルネットワークのパーソナルネットワークゲートウェイについて、合併後のパーソナルネットワークの新しいパーソナルネットワークゲートウェイとして選択される場合、パーソナルネットワークゲートウェイとして存在し続けることができ、合併後のパーソナルネットワークの新しいパーソナルネットワークゲートウェイとして選択されない場合、パーソナルネットワーク装置として合併後のパーソナルネットワーク（パーソナルネットワーク装置モードに切り替える必要がある）に加入し、または直接にパーソナルネットワークから離れることができる。
【００４０】
ステップ１０４において、パーソナルネットワークサーバに合併後のパーソナルネットワークを登録する。
【００４１】
ここで、パーソナルネットワークサーバに合併後のパーソナルネットワークを登録することは、主として、合併後のパーソナルネットワークゲートウェイが、合併後のパーソナルネットワークをパーソナルネットワークサーバに登録し、パーソナルネットワークサーバが、前記合併後のパーソナルネットワークの情報を記憶することを含む。
【００４２】
パーソナルネットワークの合併装置であって、この装置がパーソナルネットワークゲートウェイに位置すること、及びこの装置がパーソナルネットワークサーバに位置することという２つの状況があり、以下、この２つの状況についてそれぞれ説明する。
【００４３】
パーソナルネットワークゲートウェイに位置するパーソナルネットワーク合併装置であって、合併トリガユニット、ゲートウェイ選択ユニット、合併加入ユニットを備える。ここで、合併トリガユニットは、ユーザ、サーバ、パーソナルネットワーク装置、ソナルネットワークゲートウェイまたは特定のイベントによってパーソナルネットワークの合併をトリガするように構成される。ゲートウェイ選択ユニットは、合併後のパーソナルネットワークのために合併前の２つ以上のパーソナルネットワークの全ての構成ユニットから新しいパーソナルネットワークゲートウェイを選択するように構成される。合併加入ユニットは、パーソナルネットワーク装置は合併後のパーソナルネットワークに加入するように構成される。
【００４４】
ここで、この装置は、さらに、パーソナルネットワークの合併がトリガされた場合、合併がトリガされたパーソナルネットワークにおけるパーソナルネットワークゲートウェイ、またはパーソナルネットワーク装置が、合併が要求された他の各パーソナルネットワークのパーソナルネットワークゲートウェイへパーソナルネットワークの合併要求を送信し、前記パーソナルネットワークの合併要求を受信した各パーソナルネットワークゲートウェイが、要求を開始するパーソナルネットワークゲートウェイ、またはパーソナルネットワーク装置へ合併に同意するかどうかの応答を返するように構成される合併応答ユニットを備え、ユーザまたはサーバによりパーソナルネットワークの合併をトリガすることが開始される場合、各装置が全てに合併に同意する、と黙認される。
【００４５】
ここで、合併加入ユニットは、また、パーソナルネットワーク装置と合併後のパーソナルネットワークゲートウェイが合併前に同じパーソナルネットワークに属し、且つパーソナルネットワークゲートウェイも合併前のパーソナルネットワークのパーソナルネットワークゲートウェイである場合、パーソナルネットワーク装置が既に合併後のパーソナルネットワークに属し、再度に合併後のパーソナルネットワークに加入する必要がなく、パーソナルネットワーク装置と合併後のパーソナルネットワークゲートウェイが合併前に同じパーソナルネットワークに属しない場合、パーソナルネットワーク装置が、合併後のパーソナルネットワークゲートウェイへ合併後のパーソナルネットワークに加入することを要求する必要があるように構成される。
【００４６】
パーソナルネットワークサーバに位置するパーソナルネットワーク合併装置は、合併トリガユニット、ゲートウェイ選択ユニット、合併加入ユニットと第１の登録ユニットを備える。ここで、合併トリガユニットは、ユーザ、サーバ、サービス、パーソナルネットワーク装置、パーソナルネットワークゲートウェイまたは特定のイベントによってパーソナルネットワークの合併をトリガするように構成される。ゲートウェイ選択ユニットは、合併後のパーソナルネットワークのために合併前の２つ以上のパーソナルネットワークの全ての構成ユニットから新しいパーソナルネットワークゲートウェイを選択するように構成される。合併加入ユニットは、パーソナルネットワーク装置が合併後のパーソナルネットワークに加入するように構成される。第１の登録ユニットは、パーソナルネットワークサーバに合併後のパーソナルネットワークを登録するように構成される。
【００４７】
パーソナルネットワークの分割方法であって、その基本原理のプロセスは、図３に示すように、主に以下のステップを含む。
【００４８】
ステップ２０１において、ユーザ、サーバ、サービス、パーソナルネットワーク装置、パーソナルネットワークゲートウェイまたはいくつかの特定のイベントによってパーソナルネットワークの分割をトリガすることができる。分割の場合、「特定のイベント」とは、ユーザが特定の領域、例えば家、自転車、ホテルなどから離れることを含むため、繰り返して説明しない。
【００４９】
ここで、分割は１つのパーソナルネットワークが２つの新しいパーソナルネットワークに分割されることであってよく、１つのパーソナルネットワークが複数の新しいパーソナルネットワークに分割されることであってもよい。分割がトリガされたパーソナルネットワークにおけるパーソナルネットワークゲートウェイ、またはパーソナルネットワーク装置が、他のそれぞれの選択された分割後のパーソナルネットワークのパーソナルネットワークゲートウェイへパーソナルネットワークの分割要求を送信し、このパーソナルネットワークの分割要求を受信した各パーソナルネットワークゲートウェイは、要求を開始するパーソナルネットワークゲートウェイ、またはパーソナルネットワーク装置へ分割に同意するかどうかの応答を返す。この分割がユーザまたはサーバにより開始される場合、各構成ユニットが全てに分割に同意する、と黙認されることができる。ここでの構成ユニットとは、分割なろうとする１つのパーソナルネットワークにおける全ての装置である。
【００５０】
ステップ２０２において、分割後の各パーソナルネットワークのために新しいパーソナルネットワークゲートウェイを選択する。
【００５１】
ここで、分割後の各パーソナルネットワークのために新しいパーソナルネットワークゲートウェイを選択することは、主に以下の内容を含む。
【００５２】
Ａ３、まず、分割後のパーソナルネットワークの新しいパーソナルネットワークゲートウェイは、分割前のパーソナルネットワークの全ての構成ユニットから選択されてよく、即ち、新しいパーソナルネットワークゲートウェイについて、パーソナルネットワークゲートウェイを選択してよく、パーソナルネットワーク装置を選択してもよい。
【００５３】
Ｂ３、次に、分割後のパーソナルネットワークの新しいパーソナルネットワークゲートウェイは、ユーザ、サーバ、サービスまたは他の第三者（例えばＣＰまたはＳＰ）などにより選択されることができる。
【００５４】
Ｃ３、更に、分割後のパーソナルネットワークの新しいパーソナルネットワークゲートウェイについて、その選択標準は、ランダム選択、装置機能に基づく選択、サービスタイプに基づく選択などの複種があってよい。
【００５５】
Ｄ３、分割後のパーソナルネットワークの新しいパーソナルネットワークゲートウェイとして選択された装置（パーソナルネットワークゲートウェイまたはパーソナルネットワーク装置）は、現在の状態がパーソナルネットワークゲートウェイではない場合、パーソナルネットワークゲートウェイモードに切り替える必要がある。
【００５６】
ステップ２０３において、パーソナルネットワーク装置は、それぞれ分割後のパーソナルネットワークに加入する。
【００５７】
ここで、パーソナルネットワーク装置が分割後のパーソナルネットワークに加入することは、主に以下の内容を含む。
【００５８】
Ａ４、パーソナルネットワーク装置と分割後のパーソナルネットワークゲートウェイが分割前に同じパーソナルネットワークに属し、且つパーソナルネットワークゲートウェイも前記分割前のパーソナルネットワークのパーソナルネットワークゲートウェイである場合、パーソナルネットワーク装置は、既に分割後のパーソナルネットワークに属し、再度に加入する必要がない。
【００５９】
Ｂ４、パーソナルネットワーク装置と分割後のパーソナルネットワークゲートウェイが分割前に同じパーソナルネットワークに属しない場合、パーソナルネットワーク装置は、分割後のパーソナルネットワークゲートウェイへ分割後のパーソナルネットワークに加入することを要求する必要がある。
【００６０】
ここで、分割後のパーソナルネットワークゲートウェイへ分割後のパーソナルネットワークに加入することを要求することは、パーソナルネットワーク装置と分割後のパーソナルネットワークゲートウェイが既にリンクを確立した場合、パーソナルネットワーク装置が、直接に分割後のパーソナルネットワークに加入することを要求する場合１と、パーソナルネットワーク装置と分割後のパーソナルネットワークゲートウェイがリンクを確立しない場合、パーソナルネットワーク装置が、まず分割後のパーソナルネットワークゲートウェイとリンクを確立し、次に分割後のパーソナルネットワークに加入することを要求する必要がある場合２と、を含む。
【００６１】
ステップ２０４において、パーソナルネットワークサーバに分割後のパーソナルネットワークを登録する。
【００６２】
ここで、パーソナルネットワークサーバに分割後のパーソナルネットワークを登録することは、主として、分割後のパーソナルネットワークゲートウェイが分割後のパーソナルネットワークをパーソナルネットワークサーバに登録し、パーソナルネットワークサーバが前記分割後のパーソナルネットワークの情報を記憶することを含む。
【００６３】
ここで、次回の合併、分割の場合にこの前の状態を参照できるように、合併といい分割といいに関わらずパーソナルネットワークの合併、分割前の状態を覚えることができると説明すべきである。前記状態は、パーソナルネットワークサーバまたはパーソナルネットワークゲートウェイに記憶されることができる。前記状態は、パーソナルネットワークが現在にどの装置を含むか、及びこれらの装置の現在状態（例えば、オンライン、オフライン、忙しい、及びどのサービスが使用されているなど）を含む。
【００６４】
パーソナルネットワークの分割装置であって、以下、この装置がパーソナルネットワークゲートウェイに位置すること、及びこの装置がパーソナルネットワークサーバに位置すること、という状況があり、以下、この２つの状況についてそれぞれ説明する。
【００６５】
パーソナルネットワークゲートウェイに位置するパーソナルネットワーク分割装置は、分割トリガユニット、ゲートウェイ選択ユニット、分割加入ユニットを備える。ここで、分割トリガユニットは、ユーザ、サーバ、サービス、パーソナルネットワーク装置、パーソナルネットワークゲートウェイまたは特定のイベントによってパーソナルネットワークの分割をトリガするように構成される。ゲートウェイ選択ユニットは、分割後のパーソナルネットワークのために分割前のパーソナルネットワークの全ての構成ユニットから新しいパーソナルネットワークゲートウェイを選択するように構成される。分割加入ユニットは、パーソナルネットワーク装置がそれぞれ分割後のパーソナルネットワークに加入するように構成される。
【００６６】
ここで、この装置は、さらに、パーソナルネットワークの分割がトリガされた場合、分割がトリガされたパーソナルネットワークにおけるパーソナルネットワークゲートウェイ、またはパーソナルネットワーク装置が、他のそれぞれの選択された分割後のパーソナルネットワークのパーソナルネットワークゲートウェイへ、パーソナルネットワークの分割要求を送信し、前記パーソナルネットワークの分割要求を受信した各パーソナルネットワークゲートウェイが、要求を開始するパーソナルネットワークゲートウェイ、またはパーソナルネットワーク装置へ分割に同意するかどうかの応答を返するように構成される分割応答ユニットを備え、ユーザまたはサーバによりパーソナルネットワークの分割をトリガすることが開始される場合、各装置が全てに分割に同意する、と黙認される。
【００６７】
パーソナルネットワークサーバに位置するパーソナルネットワーク合併装置は、分割トリガユニット、ゲートウェイ選択ユニット、分割加入ユニット及び第２の登録ユニットを備える。ここで、分割トリガユニットは、ユーザ、サーバ、サービス、パーソナルネットワーク装置、パーソナルネットワークゲートウェイまたは特定のイベントによってパーソナルネットワークの分割をトリガするように構成される。ゲートウェイ選択ユニットは、分割後のパーソナルネットワークのために分割前のパーソナルネットワークの全ての構成ユニットから新しいパーソナルネットワークゲートウェイを選択するように構成される。分割加入ユニットは、パーソナルネットワーク装置がそれぞれ分割後のパーソナルネットワークに加入するように構成される。第２の登録ユニットは、パーソナルネットワークサーバに分割後のパーソナルネットワークを登録するように構成される。
【００６８】
ここで、第２の登録ユニットは、また、分割後のパーソナルネットワークゲートウェイが分割後のパーソナルネットワークをパーソナルネットワークサーバに登録するように構成され、パーソナルネットワークサーバは前記分割後のパーソナルネットワークの情報を記憶する。
【００６９】
以下、本発明の実施形態を例として説明する。
【００７０】
具体的な実施形態１：
ユーザＡは、ビデオサービスをサポートするパーソナルネットワーク１と音声サービスをサポートするパーソナルネットワーク２を同時に持っている。
【００７１】
ユーザＡは、それらを１つのパーソナルネットワークに合併してビデオ通話サービスをサポートすることを望む。ネットワーキングに係る図は、図４に示すように、そのプロセスが以下の内容を含む。
【００７２】
ｂ１、ユーザＡにより合併が開始される場合、２つのパーソナルネットワークを１つの新しいパーソナルネットワークに合併する。トリガされたパーソナルネットワークゲートウェイ１は、合併が要求されたパーソナルネットワークゲートウェイ２へ、パーソナルネットワークの合併要求を送信し、パーソナルネットワークゲートウェイ２は、それに応答を返して、合併に同意する。
【００７３】
ｂ２、合併後のパーソナルネットワークのためにパーソナルネットワークゲートウェイを選択する場合、ユーザＡは、２つのパーソナルネットワーク内の各装置の機能に応じてパーソナルネットワークゲートウェイ１（３Ｇネットワークをサポートする）を合併後の新しいパーソナルネットワークゲートウェイとして選択する。
【００７４】
ｂ３、パーソナルネットワーク装置は、合併後のパーソナルネットワークに加入する。
【００７５】
ここで、パーソナルネットワーク装置１、パーソナルネットワーク装置２と合併後のパーソナルネットワークゲートウェイ１が合併前に同じパーソナルネットワーク１に属し、且つパーソナルネットワークゲートウェイ１も前記合併前のパーソナルネットワーク１のパーソナルネットワークゲートウェイであるので、パーソナルネットワーク装置１とパーソナルネットワーク装置２は、既に合併後のパーソナルネットワークに属し、再度に加入する必要がない。パーソナルネットワーク装置３は、合併後のパーソナルネットワークゲートウェイ１へ、合併後のパーソナルネットワークに加入することを要求する必要があり、具体的なプロセスは、パーソナルネットワーク装置３がまずパーソナルネットワークゲートウェイ１と互いに見付けてリンクを確立し、パーソナルネットワーク装置３がパーソナルネットワークゲートウェイ１へ、パーソナルネットワークに加入する要求を送信する。
【００７６】
パーソナルネットワークゲートウェイ２は、パーソナルネットワーク装置に変換され、そしてパーソナルネットワークゲートウェイ１へ、パーソナルネットワークに加入する要求を送信する。
【００７７】
ｂ４、パーソナルネットワークサーバに合併後のパーソナルネットワークを登録する。
【００７８】
ここで、パーソナルネットワークゲートウェイ１は、合併後のパーソナルネットワークをパーソナルネットワークサーバに登録し、パーソナルネットワークサーバが前記合併後のパーソナルネットワークの情報を記憶する。
【００７９】
具体的な実施形態２：
ユーザＡは、パーソナルネットワーク１を持ち、ユーザＢは、パーソナルネットワーク２を持ち、ユーザＣは、パーソナルネットワーク３を持っている。
【００８０】
ユーザＡ、Ｂ、Ｃは、集める場合、彼らのパーソナルネットワークを１つの新しいパーソナルネットワークに合併して内容を共有することを望む。ネットワーキング図は、図５に示すように、そのプロセスが以下の内容を含む。
【００８１】
ｃ１、ユーザＡにより合併が開始される場合、３つのパーソナルネットワークを１つの新しいパーソナルネットワークに合併する。トリガされたパーソナルネットワークゲートウェイ１は、合併が要求されたパーソナルネットワークゲートウェイ２とパーソナルネットワークゲートウェイ３へ、パーソナルネットワークの合併要求を送信し、パーソナルネットワークゲートウェイ２はそれに応答を返し、合併に同意し、パーソナルネットワークゲートウェイ３はそれに応答を返して、合併に同意する。
【００８２】
ｃ２、合併後のパーソナルネットワークのためにパーソナルネットワークゲートウェイを選択するた場合、パーソナルネットワークサーバは、パーソナルネットワークゲートウェイ２を合併後のパーソナルネットワークの新しいパーソナルネットワークゲートウェイとしてランダムに選択する。
【００８３】
ｃ３、パーソナルネットワーク装置は、合併後のパーソナルネットワークに加入する。
【００８４】
ここで、パーソナルネットワーク装置２、パーソナルネットワーク装置３が、合併後のパーソナルネットワークゲートウェイ２と合併前に同じパーソナルネットワーク２に属し、且つパーソナルネットワークゲートウェイ２も前記合併前のパーソナルネットワーク２のパーソナルネットワークゲートウェイであるので、パーソナルネットワーク装置２とパーソナルネットワーク装置３は、既に合併後のパーソナルネットワークに属し、再度にパーソナルネットワークに加入する必要がない。
【００８５】
パーソナルネットワーク装置１とパーソナルネットワーク装置４は、合併後のパーソナルネットワークゲートウェイ２へ、合併後のパーソナルネットワークに加入することを要求する必要があり、具体的なプロセスは、パーソナルネットワーク装置１とパーソナルネットワーク装置４がまずパーソナルネットワークゲートウェイ２と互いに見付けてリンクを確立し、パーソナルネットワーク装置１とパーソナルネットワーク４がパーソナルネットワークゲートウェイ２へ、パーソナルネットワークに加入する要求を送信する。
【００８６】
パーソナルネットワークゲートウェイ１は、パーソナルネットワーク装置に変換され、そしてパーソナルネットワークゲートウェイ２へ、パーソナルネットワークに加入する要求を送信する。
【００８７】
パーソナルネットワークゲートウェイ３は、パーソナルネットワークから離れる。
【００８８】
ｃ４、パーソナルネットワークサーバに合併後のパーソナルネットワークを登録する。
【００８９】
ここで、パーソナルネットワークゲートウェイ２は、合併後のパーソナルネットワークをパーソナルネットワークサーバに登録し、パーソナルネットワークサーバが合併後のパーソナルネットワークの情報を記憶する。
【００９０】
具体的な実施形態３：
ユーザＡの家において、パーソナルネットワークゲートウェイ４、パーソナルネットワーク装置５、パーソナルネットワーク装置６、パーソナルネットワーク装置７及びパーソナルネットワーク装置８を含むパーソナルネットワーク４がある。ユーザＡは、出かける時に、このパーソナルネットワークを２つの異なるパーソナルネットワークに分割し、一方を家に残し、他方を身に付けて携帯したい。ネットワーキング図は、図６に示すように、そのプロセスが以下の内容を含む。
【００９１】
ｄ１、ユーザＡは、分割を開始し、パーソナルネットワークゲートウェイであるパーソナルネットワークゲートウェイ４、パーソナルネットワーク装置６及びパーソナルネットワーク装置８が１方のパーソナルネットワークと、パーソナルネットワークゲートウェイであるパーソナルネットワーク装置７とパーソナルネットワーク装置５が他方のパーソナルネットワークと、パーソナルネットワーク４を、２つの異なるパーソナルネットワークに分割する。
【００９２】
ｄ２、分割後の各パーソナルネットワークのためにパーソナルネットワークゲートウェイを選択する。
【００９３】
ここで、パーソナルネットワークゲートウェイの選択の具体的なプロセスについては、ユーザＡがパーソナルネットワークゲートウェイ４とパーソナルネットワーク装置７を分割後のパーソナルネットワークゲートウェイとして選択し、トリガされたパーソナルネットワークゲートウェイ４が、分割後のパーソナルネットワークの新しいパーソナルネットワークゲートウェイ（パーソナルネットワーク装置７）へ、パーソナルネットワークの分割要求を送信し、パーソナルネットワーク装置７が、それに分割に同意するかどうかの応答を返し、パーソナルネットワーク装置７の現在の状態がパーソナルネットワークゲートウェイではない場合、その状態をパーソナルネットワークゲートウェイモードに切り替える。
【００９４】
ｄ３、パーソナルネットワーク装置は、分割後のパーソナルネットワークに加入する。
【００９５】
ここで、加入の具体的なプロセスについては、パーソナルネットワーク装置６とパーソナルネットワーク装置８が、分割後のパーソナルネットワークゲートウェイ４と分割前に同じパーソナルネットワークに属し、且つパーソナルネットワークゲートウェイ４も前記分割前のパーソナルネットワークのパーソナルネットワークゲートウェイである場合、パーソナルネットワーク装置６とパーソナルネットワーク装置８が、既に分割後の１つのパーソナルネットワークに属し、再度に加入する必要がなく、パーソナルネットワーク装置５が、分割後のパーソナルネットワークゲートウェイ（パーソナルネットワーク装置７）へ、分割後のパーソナルネットワークに加入することを要求する必要がある。
【００９６】
ここで、パーソナルネットワーク装置５が分割後のパーソナルネットワークゲートウェイ（パーソナルネットワーク装置７）へ、分割後のパーソナルネットワークに加入することを要求する必要がある具体的なプロセスについては、パーソナルネットワーク装置５と分割後のパーソナルネットワークゲートウェイ（パーソナルネットワーク装置７）がリンクを確立し、パーソナルネットワーク装置５がパーソナルネットワークゲートウェイ（パーソナルネットワーク装置７）へ、パーソナルネットワークに加入する要求を送信する。
【００９７】
ｄ４、パーソナルネットワークサーバに分割後の各パーソナルネットワークを登録する。
【００９８】
ここで、分割後のパーソナルネットワークゲートウェイ４とパーソナルネットワーク装置７（この場合にはパーソナルネットワークゲートウェイである）は、分割後のパーソナルネットワークをパーソナルネットワークサーバに登録し、パーソナルネットワークサーバが前記分割後のパーソナルネットワークの情報を記憶する。
【００９９】
以上は、本発明の最適的な実施例に過ぎなく、本発明の保護範囲を制限することではない。
【図１】
2014513480.tif 000003
【図２】
2014513480.tif 000004
【図３】
2014513480.tif 000005
【図４】
2014513480.tif 000006
【図５】
2014513480.tif 000007
【図６】
2014513480.tif 000008
【国際調査報告】
2014513480.tif 000009
2014513480.tif 000010
2014513480.tif 000011
2014513480.tif 000012